(57)【要約】      （修正有）【課題】ファール球やオーバーフロー球等の少量の残留遊技球を遊技者が下皿からつかみ損ねること、あるいは下皿に置き忘れることを回避する弾球遊技機を提供する。【解決手段】ファール球や第一受皿（上皿：１３０）におけるオーバーフロー球を受け入れる第二受皿（下皿：１４０）を備えた弾球遊技機である。前記第二受皿１４０を上下二段の受部材から構成し、上部の第一受部材１４０ａの底部には遊技球を下部の第二受部材１４０ｂに落とすための常時開口する貫通孔１４４が形成されている。第一受部材１４０ａに貯留される遊技球は、前記貫通孔１４４を通って自動的に第二受部材１４０ｂの内部に貯留させるように構成した。更にこの第二受部材１４０ｂを、第一受部材１４０ａまたは弾球遊技機に対して摺動可能に支持した。【選択図】図３
2008110051.tif 000002
【特許請求の範囲】
【請求項１】
遊技機本体(100) 、同本体(100) に嵌着固定される遊技盤(110) 、及び遊技機本体の前面部に回動支持される開閉部材(115) を備えた弾球遊技機であって、
前記遊技盤(110) の遊技領域(A) 内に複数配された入賞口(112) に流入することにより所定数の遊技球を賞球として第一払出口(131) から払出される遊技球を貯留する第一受皿(130) と、前記開閉部材の枠部から前方に延設され、前記第一受皿(130) に貯留しきれない余剰の遊技球、及び発射装置(120) から発射され、前記遊技領域(A) へと到達しなかった遊技球を第二払出口(141) を介して貯留する第一受部材(140a)及び第二受部材(140b)を有する第二受皿(140) とを備えてなり、
前記第一受部材(140a)は、
その底部に、底部を貫通し、前記第二払出口(141) から払出された遊技球が通過可能な常時開口する貫通孔(144) を有し、
前記第二受部材(140b)は、
前記第一受部材(140a)の下方に配設され、前記貫通孔(144) を通り落下する遊技球を貯留する第二受部材貯留部（140b´）を有してなる、
ことを特徴とする弾球遊技機。
【請求項２】
前記第二受部材(140b)は、前記第一受部材(140a)または前記開閉部材(115) に支持され、第二受部材貯留部が視認可能な位置と視認困難な位置との間を進退可能である構造を有してなることを特徴とする請求項１に記載の弾球遊技機。
【請求項３】
前記第二受部材(140b)は、前記第一受部材(140a)または前記開閉部材(115) に着脱可能に支持されてなることを特徴とする請求項１又は２に記載の弾球遊技機。
【請求項４】
前記第二受部材(140b)と前記第一受部材(140a)または前記開閉部材(120) との間に、更に係脱手段を有してなることを特徴とする請求項２又は３に記載の弾球遊技機。
【請求項５】
前記第二受部材(140b)の、少なくとも前記貫通孔(144) を通って落下する遊技球の落下領域が下り傾斜面とされてなることを特徴とする請求項１〜４のいずれかに記載の弾球遊技機。
【請求項６】
前記第二受部材(140b)の、前記貫通孔(144) を通って落下する遊技球の落下領域に弾性素材（180）を備えてなることを特徴とする請求項１〜５のいずれかに記載の弾球遊技機。
【請求項７】
前記第一受部材(140a)と前記第二受部材(140b)の少なくともどちらかの一部が透明素材により構成されてなることを特徴とする請求項１〜６のいずれかに記載の弾球遊技機。
【発明の詳細な説明】
【技術分野】
【０００１】
本発明は遊技媒体として遊技球を用いて遊技するパチンコ機、アレンジボール機といった弾球遊技機に関し、遊技機の払出口から払い出される遊技球を受け入れる受皿を備える弾球遊技機に関するものである。
【背景技術】
【０００２】
図１０に、従来のパチンコ機等の弾球遊技機の外観斜視図を示し、図１１に、弾球遊技機の遊技盤１１０の正面図を示す。
【０００３】
一般に、パチンコ機等の弾球遊技機は、図１０及び図１１に示すように、遊技盤１１０に形成された遊技領域Ａに向けて遊技球を発射する発射装置１２０を備え、遊技者により発射装置１２０が操作されることにより遊技球が発射レール１１１を通り遊技領域Ａに向けて打ち出される。前記遊技領域Ａ内には、打ち出された遊技球が多数の図示せぬ障害物（障害釘等）を介して流入することにより、所定数の遊技球を賞球として獲得することのできる一般入賞口１１２ａ、始動入賞口１１２ｂ、大入賞口１１２ｃなど、複数の入賞口１１２が設けらている。
【０００４】
また、前記入賞口１１２に流入せずに遊技領域Ａ内の下流側へと流れる遊技球が、外れ球として流入するアウト口１１３が設けられている。前記遊技領域Ａの下方には、遊技機本体１００の前面には開閉部材１１５が設けられており、この開閉部材１１５の下部には第一受皿１３０（上皿）が前方へと延設されている。第一受皿１３０は、前記入賞口１１２に遊技球が流れ込むことにより入賞して獲得した遊技球を払出す第一払出口１３１と、同第一払出口１３１から払い出された遊技球を所定量貯留する上皿貯留部１３２と、同上皿貯留部１３２に貯留された遊技球を前記発射装置１２０へと供給する図示せぬ供給部とを備えている。
【０００５】
前記第一受皿１３０の下方には、所要の間隔をおいて第二受皿１４０（下皿）が設けられている。この下皿１４０は、前記第一受皿１３０が貯留しきれずに第一受皿１３０から溢流する余剰の遊技球（以下、オーバーフロー球とする。）と、前記発射装置１２０から発射され、遊技領域Ａへと到達しなかった遊技球（以下、ファール球とする。）とを払い出す第二払出口１４１を有している。
【０００６】
また下皿１４０は、前記第二払出口１４１から払い出された遊技球を貯留する第二受皿貯留部１４２と、前記貯留した遊技球を別に用意した遊技球貯留容器（以下、ドル箱１５０とする。）へと抜き取るための球抜き機構１４３を有している。また、図１０に示すように球抜き機構１４３として、遊技球を第二受皿貯留部１４２からドル箱１５０へ移送するための遊技球の移送孔１４３ａと、前記移送孔の開閉を制御する開閉レバー１４３ｂとを有している。
【０００７】
従来、例えば特開２００２−１８０６９号公報（以下、特許文献１とする。）にあっては、大量の賞球を獲得することが可能となる特別遊技状態（以下、大当たりとする。）へと遊技状態が移行したときに、賞球として払い出された遊技球を前記ドル箱１５０へ移す必要がないように、少なくとも一回の大当たりで獲得し、第一受皿１３０からオーバーフロー球として下皿１４０へ払い出される賞球のほとんどを貯留可能とする、従来の下皿よりも大量の遊技球が貯留できる大型の下皿を備えた遊技機を開示している。
【０００８】
また、例えば特開平１０−１７９８８２号公報（以下、特許文献２とする。）では、下皿がドル箱１５０を収納するに十分な大きな空間を備え、その一側部に前記ドル箱１５０を持ち上げることなく前記収納空間から外部へと引き抜くことを可能にした開閉部を有し、大当たり時の大量の賞球に対しいちいち賞球を移動させる手間を解消しようとした構成を備えた遊技機を開示している。
【０００９】
また、例えば特開２００２−３６０８８６号公報（以下特許文献３とする。）には、下皿の下方または側方を含む近傍に遊技球を導入することにより所定数の遊技球を計量することができる計量皿を配した遊技機が開示されている。前記計量皿は、整列された所定個数の遊技球を規定する複数段の計量段を有している。また、この計量皿は、下皿を流下する遊技球を前記計量皿に案内する球通路を有しており、前記球通路は開閉可能な遮蔽扉を有し、前記計量皿がパチンコ遊技機の前面枠に対して着脱自在に構成されている。また、他の実施形態では前記計量皿を、遊技球が装入される定常位置と計量皿内の遊技球を排出する排出位置とに変換可能なように、回動自在に構成されている。
【特許文献１】特開２００２−１８０６９号公報
【特許文献２】特開平１０−１７９８８２号公報
【特許文献３】特開２００２−３６０８８６号公報
【発明の開示】
【発明が解決しようとする課題】
【００１０】
ところで、上記特許文献１または特許文献２のような遊技機では、下皿に払い出される遊技球の貯留容量を大きくしているため、大量の賞球が払い出される大当たり時においてはその目的が達成されるが、遊技中の大半を占める通常遊技状態において下皿に払い出される少量の前記オーバーフロー球、又は基本的に一球ずつ払い出される前記ファール球に対しては容量の大きさが逆に仇となる。
【００１１】
例えば、遊技球が払い出された後、大容量の貯留空間の隅に少量の遊技球だけが誘導されて残された場合には、その残球が摘み上げにくくなる。また、払い出された遊技球が貯留空間の側壁部に隠されて視界に入らず見えにくくなる。この見えにくい状態で遊技が終了すると、下皿に残された遊技球を取り出さないままで遊技機から離れてしまう等の弊害が生じやすい。
【００１２】
また、設置平面の面積に限りがある下皿の貯留容量を大きくするには、必然的に下皿の底部が従来の下皿のそれよりも深くなる。その結果、遊技球払出口から払い出される遊技球が下皿の底面に向けて落下するとき、鋼製の遊技球と合成樹脂製の下皿の底面との間に大きく不快な衝撃音が発生し、遊技者に不快感を与えることになる。
【００１３】
一方、上記特許文献３に開示されたパチンコ遊技機では、下受皿に対して着脱または回動可能な計量皿を使用しようとするとき、計量皿に備えられている遮蔽扉を遊技者の手動操作により開放して、下受皿に収容されている遊技球を計量皿へと移動させなければならない。
【００１４】
遊技球の計量が自動的に行われないため、遊技者は遊技領域に向けている視線を一時下受皿の方向へ向けなければならず、遊技者が遊技に熱中している状態にあるときには、その下受皿へ視線を向ける行為が煩わしく感じられ、興趣を削がれてしまう。
【００１５】
また、図１０に示す従来のパチンコ機における一般的な第二受皿（下受皿）１４０では、第二受皿１４０へ払い出され貯留されている遊技球があることに遊技者が気付き、前記遊技球をもって遊技を続けるために発射装置１２０への供給機構を持つ第一受皿１３０へと遊技球を移そうとするとき、遊技球を手から誤って床面に落としてしまったり、遊技球が小さいためなかなか摘み上げにくかったりする。そのことで不利益を被ったり、興趣を削がれてしまうという不具合を生じていた。
【００１６】
本発明は、こうした従来技術の持つ問題点を解決するために創出されたもので、ファール球やオーバーフロー球の取り出しづらさや見えにくさを解消し、遊技球の第二受皿底部への落下時の不快な衝撃音を防ぐとともに、少量の遊技球を第一受皿１３０へ移動させようとするときの確実性や容易性を実現させ、遊技者の不利益をなくし、また、遊技球をつかんだり、別皿に遊技球を移動させるために扉を開閉させる等、煩わしい行為を必要としない弾球遊技機を提供することを目的としている。
【課題を解決するための手段及び効果】
【００１７】
上記課題は、本発明の基本構成である、遊技機本体、同本体に嵌着固定される遊技盤、及び遊技機本体の前面部に回動支持される開閉部材を備えた弾球遊技機であって、前記遊技盤の遊技領域(A) 内に複数配された入賞口に流入することにより所定数の遊技球を賞球として第一払出口から払出される遊技球を貯留する第一受皿と、前記開閉部材の枠部から前方に延設され、前記第一受皿に貯留しきれない余剰の遊技球、及び発射装置から発射され、前記遊技領域(A) へと到達しなかった遊技球を第二払出口を介して貯留する第一受部材及び第二受部材を有する第二受皿とを備えてなり、前記第一受部材は、その底部に、底部を貫通し、前記第二払出口から払出された遊技球が通過可能な常時開口する貫通孔を有し、前記第二受部材は、前記第一受部材の下方に配設され、前記貫通孔を通り落下する遊技球を貯留する第二受部材貯留部を有してなることを特徴とする。
【００１８】
この構成によれば、遊技者が殊更に遮蔽扉を開けて遊技球を第二受部材へと移動させるという煩わしい操作をすることなく、第二受部材に自動的に遊技球を貯留することができる。その結果、遊技者は遊技に集中することができ、興趣を削がれるおそれも解消される。
【００１９】
かかる構成において、前記第二受部材は、前記第一受部材または前記開閉部材に支持され、第二受部材貯留部が視認可能な位置と視認困難な位置との間を進退可能とされた構造を有していることが好ましい。
【００２０】
この構成によれば、第二受部材の内部に遊技球が残っていることを容易に確認することができ、或いは第二受部材に貯留されている遊技球を容易に取り出すことができる。
【００２１】
更に好ましい態様によれば、前記第二受部材は、前記第一受部材または前記開閉部材に着脱可能に支持されている。また、前記第二受部材と前記第一受部材または前記開閉部材との間に、更に係脱手段を有しているとよい。
【００２２】
この構成によれば、通常は第一及び第二の受部材を所定位置に固定しておくことができ、例えば第二受部材にある程度貯留された遊技球を第一受皿へ移動させるために、第二受部材を第一受部材または遊技機の係着状態を解除し、両者を離脱させて、遊技球を第二受部材に貯留させたまま第一受皿へと移動させることができる。そのため、遊技球を落とすことなく確実且つ容易に移動できるようになり、遊技者にとっての不利益を防止し、また、少量の遊技球の取りづらさも解消することができる。
【００２３】
ここで、前記第二受部材の、少なくとも前記貫通孔を通り遊技球が落下する落下領域を一方向に下がる下り傾斜面とされているとよい。
【００２４】
この構成によれば、前記第二受部材内部に落下した遊技球が傾斜面に沿って転動するので、落下した遊技球が第二受部材内の落下地点付近に堆積してしまう不具合がなくなり、貯留部の貯留領域を余すことなく使用できるという効果が期待できる。
【００２５】
更には前記第二受部材の、前記貫通孔を通って遊技球が落下する落下領域に弾性素材を備えているとよい。
【００２６】
この構成によれば、遊技球が前記第一受部材の貫通孔を通り前記第二受部材の底面に落下したときの衝撃が吸収されて、鋼製の遊技球と合成樹脂製の貯留部との間で発生する不快な衝撃音の発生が回避される。
【００２７】
また前記第一受部材と第二受部材の少なくともどちらかの一部又は全体に透明素材を用いてもよい。
【００２８】
この構成によれば、第二受部材に貯留された遊技球を透視でき、目視による遊技球の確認が可能となり、遊技終了時に取り忘れてしまうといった遊技者にとっての不利益が回避される。
【発明を実施するための最良の形態】
【００２９】
次に、本発明による弾球遊技機を前述したパチンコ機に適用した代表的な実施形態について、図面を参照しながら具体的に説明する。以下、遊技機を単にパチンコ機という。
図１は、本発明に係るパチンコ機Ｐの第１実施例を示す斜視図である。パチンコ機Ｐは、遊技盤１１０を含む遊技機本体１００から構成されている。なお、遊技機本体１００に設けられている遊技盤１１０の構成は、図１１に示した構成と同様である。従って、以下の説明において図１１に示した構成部材や機器と実質的に同じ構成部材等には同一の符号を付している。
【００３０】
図１に示すように、パチンコ機Ｐの遊技機本体１００は、一端を軸にして遊技機本体１００の前面部に回動支持される開閉部材１１５を備え、前記開閉部材１１５に、遊技盤１１０に形成された遊技領域Ａに向けて遊技球を発射する発射装置１２０と、遊技機本体１００の前面から前方に延設して設けられ、第一払出口１３１から払い出された賞球を貯留すると共に発射装置１２０に供給する遊技球を貯留する第一受皿１３０と、同第一受皿１３０の下方に設けられ第一受皿１３０から溢流するオーバーフロー球やファール球とを一時的に貯留する第二受皿１４０とを有している。前記発射装置１２０には、回動量に応じて遊技球の発射速度を調節する発射ハンドル１２１を備えている。
【００３１】
遊技盤１１０の遊技領域Ａは、図１１に示すように、ガイドレールで囲まれており、遊技球が転動しながら落下してゆく領域である。遊技盤１１０は、発射装置１２０により発射された遊技球を誘導して遊技領域Ａに打ち出す発射レール１１１と、遊技領域Ａ内に放出された遊技球を跳ね返し流れの方向を変更させる複数の障害釘等（図示せず。）と、遊技球が流入することにより遊技者に対して賞球を払い出す処理を行うための、一般入賞口１１２ａ、始動入賞口１１２ｂ、大入賞口１１２ｃと、これらの入賞口に流入せずに遊技領域Ａ内の下流側に到達した遊技球を外れ球として排出するアウト口１１３とを備えている。
【００３２】
ここで、本実施例にあって、図１１に示した従来の一般的な遊技機と大きく異なる構成は第二受皿１４０にあり、第二受皿１４０は上下二段からなる第一受部材１４０ａと第二受部材１４０ｂとを備えている。すなわち、この第二受皿１４０が本発明の特徴部を構成する。
【００３３】
第一受皿１３０は、図２に示すように、遊技領域Ａ内に設けられている入賞口１１２ａ〜１１２ｃに遊技球が流れ込むことにより入賞して獲得した入賞球を払い出す第一払出口１３１と、第一払出口１３１から払い出された遊技球を所定量貯留する上皿貯留部１３２とを備えている。また、この第一受皿１３０は、図示を省略しているが上皿貯留部１３２に貯留された遊技球を上記発射装置１２０へと供給する供給部（図示せず）を備えている。
【００３４】
本実施例における第二受皿１４０は、前記第一受皿１３０の下方に所要の間隔をおいて配置され、上述のように遊技球を一時的に貯留する上下二段に独立して形成された第一及び第二の皿状の受部材１４０ａ，１４０ｂから構成される。上部の第一受部材１４０ａの遊技機本体側の側壁部には、前記第一受皿１３０に貯留しきれずに第一受皿１３０から溢流するオーバーフロー球や、発射装置１２０から発射されはしたものの遊技領域Ａへと到達しなかったファール球を払い出す第二払出口１４１を有している。そして、ここで最も重要な点は、第一受部材１４０ａの底部には第一受部材１４０ａに貯留されている遊技球を下方の第二受部材１４０ｂ、又はドル箱１５０等へと自動的に移動させるための常時開口する貫通孔１４４とが形成されている。
【００３５】
下部の第二受部材１４０ｂは、第一受部材１４０ａから貫通孔１４４を介して落下してくる遊技球を貯留する受皿であり、遊技者が第二受部材１４０ｂを手前に引き出すことにより、第二受部材１４０ｂの内部（第二受部材貯留部１４０ｂ´）に貯留されている遊技球を任意に取り出すことが可能となっている。
【００３６】
次に、本発明に係るパチンコ機Ｐの第二受皿１４０について、図２を用いて説明する。
図２及び図３は、図１に示した遊技機Ｐにおける受皿部分の拡大斜視図と、図２におけるIII−III 線に沿った矢視断面図である。本実施例における第二受皿１４０は、これらの図に示し記述したとおり、第一受部材１４０ａの下方に重なるようにして配設されている。図示例にあっては、前記第二受部材１４０ｂは第一受部材１４０ａの下面に設けられたレール１６０に沿って、正面視で前後にスライド可能に支持されている。図４は第二受部材１４０ｂを最も奥まで押し込んだときの図２におけるIV−IV線に沿った断面図を示している。
【００３７】
本実施例では、後述するように、第二受部材１４０ｂを奥まで押し込むと、第二受部材１４０ｂの後端面に設けられた球状の係脱部１７０が開閉部材１１５に固設されたΩ状の係脱部材１１６に嵌着して、第二受部材１４０ｂが妄りに前後にスライドしないようになっているが、遊技者が第二受部材１４０ｂを前方へと引き出そうとして手前に引っ張ると、弾性変形可能な板片からなるΩ状の係脱部材１１６が弾性的に開いて容易に球状の係脱部１７０が引き抜かれ、第二受部材１４０ｂを前方へと簡単に引き出すことができるようにされている。
【００３８】
以上の構成を備えた本実施例のパチンコ機Ｐによる遊技を説明すると、遊技者が発射ハンドル１２１を操作することにより発射した遊技球は、発射レール１１１を介して遊技領域Ａに打ち出されると共にガイドレールに案内されて遊技盤１１０の上部に移動し、その後落下して複数の障害釘と衝突することによりその進行方向を変えながら遊技盤１１０の下方に向かって落下する。
【００３９】
遊技領域（Ａ）の内部を転動しながら落下する遊技球が、一般入賞口１１２ａ、始動入賞口１１２ｂ、又は大入賞口１１２ｃなどの入賞口に流入すると、所定量の遊技球が賞球として第一払出口１３１から第一受皿１３０に払い出される。また、いずれの入賞口１１２ａ〜１１２ｃにも流入しなかった遊技球は、遊技領域（Ａ）の下部に設けられたアウト口１１３から機外へと排出される。
【００４０】
第一払出口１３１から払い出された賞球は、最初に第一受皿１３０に貯留されるが、第一受皿１３０に貯留しきれない遊技球は、パチンコ機Ｐの内部に設けられた遊技球通路（図示せず）を通り第二払出口１４１を通じて第二受皿１４０へと払い出される。また、発射装置１２０から発射された遊技球のうち、発射レール１１１の終端まで到達せずに遊技機内部へ戻ってしまったファール球も、同様に遊技球通路を通り第二払出口１４１から第二受皿１４０へと払い出される。
【００４１】
多くの賞球が払い出される大当たり時には、第一受皿１３０と第二受皿１４０とを用いても遊技球を貯留しきれない量の遊技球が払い出される場合がある。その場合には、遊技者が時期を見計らって第二受皿１４０の第二受部材１４０ｂを引き出すか、又は離脱させることによって、第一受部材１４０ａの貫通孔１４４を通して第一受部材１４０ａの下方に置かれた前記ドル箱１５０へと遊技球を直接導くことできる。したがって遊技者は、第一受部材１４０ａあるいは第二受部材１４０ｂから遊技球を手で掬い上げながらドル箱１５０へと移すことなく、大当たり遊技を継続して消化することができる。
【００４２】
この実施例にあって、第二受部材１４０ｂの側壁の全てを透明素材で構成することもでき、その場合には、図２に示すように第二受部材１４０ｂの内部に貯留されている遊技球が外部から見えるようになる。
【００４３】
なお、このとき第二受部材１４０ｂの側壁は、上述のように全て透明にしてもよいし、一部のみを透明にして遊技者が第二受部材貯留部１４０ｂ´に貯留されている遊技球を視認することができるように構成しても良い。また、上部に配置されている第一受部材１４０ａの全部又は一部を透明にすることによって、遊技者から第二受部材１４０ｂの内部に貯留されている遊技球を視認することができるように構成してもよい。
【００４４】
図２に示すように、第二払出口１４１から払い出された遊技球は貫通孔１４４を通って自動的に第二受部材１４０ｂの内部に貯留される。そのため遊技者は、遊技中に視線を移動させる必要がないので遊技に集中することができる。なお、貫通孔１４４は遊技球が通過可能であればその大きさや形状に制限はない。したがって、例えば貫通孔１４４の上面の開口を長円形にすることもできる。貫通孔の大きさを大きくすることにより、より確実に遊技球を第二受部材へと移動させることができる。
【００４５】
次に、第二受部材１４０ｂを開閉部材１１５から遊技者の手前側に引き出すための上述した案内機構について、図３を用いて具体的に説明する。
図３は、図２に示す第二受皿１４０部分を垂直に切断したIII−III断面を示す正面図である。
【００４６】
同図に示すように開閉部材１１５の第一受部材１４０ａの側面下方には、第二受部材１４０ｂを摺動自在に支持するレール１６０を備えている。
【００４７】
一方の第二受部材１４０ｂ側には、レール１６０と嵌合して第二受部材１４０ｂを遊技機本体１００の奥行き側と手前側に進退自在に摺動させるための嵌合部１６１を備えている。図３に示す実施形態では、レール１６０及び嵌合部１６１は図３の奥行き側と手前側の方向に同一形状の断面を有しているので、第二受部材１４０ｂをレール１６０の終端までスライド移動させることにより、第二受部材１４０ｂを第一受部材１４０ａから離脱させることができる。
【００４８】
なお図３に示す実施形態では、遊技機本体１００側のレール１６０とその嵌合部１６１が第二受部材１４０ｂ側面上端に配置されている実施形態を示したが、レール１６０と嵌合部１６１とが摺動自在に嵌合すると共に、第二受部材１４０ｂが遊技機本体１００から離脱可能な構成であればよく、嵌合部１６１、レール１６０の位置、形状は図３に示した実施形態に限定するものではない。
【００４９】
次に、第二受部材１４０ｂの内部構造、及び第二受部材１４０ｂの既述した係脱機構について、側面断面図を用いて説明する。
図４は、図２に示す第二受部材１４０ｂの左右方向の中心を通り、遊技機本体１００に垂直な面で切断したIV−IV断面の側面図である。
【００５０】
図４に示すように、第二受部材１４０ｂの遊技機側の端部には、貫通孔１４４を通った遊技球が落下する落下領域に、振動の発生や騒音の発生を減少させる弾性素材１８０を備えている。弾性素材１８０として、ゴム素材や発泡ゴム、低弾性のプラスチックス等を用いることができる。また、第二受部材１４０ｂの内側底面は、遊技球の落下領域に遊技球が滞留することを防止するために、遊技機本体１００側から遊技者側へ角度α°の下り傾斜面を形成している。
【００５１】
また、図４に示すように第二受部材１４０ｂの後面には、第二受部材１４０ｂを奥行き側に固定するための球状の係脱部材１１６を備え、一方の遊技機本体１００側には、遊技者が第二受部材１４０ｂを奥行き側に押し込んだ際に、前記係脱部材１１６が係合する遊技機係脱部１７１を備えている。
【００５２】
遊技機係脱部１７１は、弾性を有するバネ鋼などの素材を用いているので、遊技者が第二受部材１４０ｂをスライド移動させる際に押し込む力で容易に係脱部材１１６と遊技機係脱部１７１とを係脱させることができる。この係脱部材１１６及び遊技機係脱部１７１から構成される係脱機構１７０をパチンコ機Ｐに設けることによって、遊技者が意図していない状況で第二受部材１４０ｂが第一受部材１４０ｂから離脱してしまうという不具合を防止することができる。
【００５３】
図４に示す実施形態では、係脱部の一例として球状の係脱部材１１６及び弾性を有する遊技機係脱部１７１から構成される係脱機構１７０を示したが、本発明は図４に示した実施形態に限定するものではなく、例えば磁力による吸引力を用いた係脱部等を用いることもできる。
【００５４】
次に、上述の構成を有するパチンコ機Ｐの使用状態を詳しく説明する。
遊技者がパチンコ機Ｐを使用して遊技をしていくうちに、払い出された賞球や、発射装置１２０より発射されて遊技領域Ａに到達しなかったファール球が、第一受皿１３０に貯留しきれなくなってきた場合には、第一受皿１３０から溢れた遊技球が第二払出口１４１を経由して第一受部材１４０ａに払い出され、その後、常時開口している貫通孔１４４を通り、第二受部材１４０ｂ内部の第二受部材貯留部１４０ｂ´へと移動して貯留される。
【００５５】
遊技者は、第一受皿１３０に遊技球がなくなったことを確認すると、頃合を見計らって第二受部材１４０ｂを遊技者側にスライド移動させて、第二受部材１４０ｂを第一受部材１４０ａから離脱させる。そして、第二受部材１４０ｂに貯留されている遊技球を用いて再遊技するために、第二受部材１４０ｂごと上方に持ってゆき、発射装置１２０への供給機構を備える第一受皿１３０に遊技球を移し変える。このとき、遊技者が第二受部材１４０ｂをスライド移動させ易いように、第二受部材１４０ｂの前面に把持部を配することもできる。
【００５６】
遊技球を第一受皿１３０に供給し終わったら、遊技者は第二受部材１４０ｂを再び遊技機本体１００に装着するために、第二受部材１４０ｂの嵌合部１６１をレール１６０終端の溝に嵌合させ、第二受部材１４０ｂを遊技機本体１００の奥側へスライド移動させる。この動作により球状の係脱部材１１６がΩ状の遊技機係脱部１７１と係合して第二受部材１４０ｂの装着が完了する。そして、第二受部材１４０ｂに対する遊技球の貯留を再開することができる。
【００５７】
また、例えば遊技球が始動入賞口１１２ｂへ入賞し、特別図柄１１４が所定の表示を示したときのように大当たりが発生した場合には、第一受皿１３０と第二受皿１４０だけでは賞球を貯留しきれない量の遊技球が払い出されることも考えられる。その場合には、遊技者は時期を見計らって第二受皿１４０の第二受部材１４０ｂを引き出しておくことにより、第一受部材１４０ａの貫通孔１４４を通して、第一受部材１４０ａの下方に置かれたドル箱１５０へと遊技球を直接導くことができ、第二受皿１４０の遊技球の貯留容量を気にせずに、大当たり遊技を継続して消化することができる。
【００５８】
次に、本発明の実施例２について図５を用いて説明する。本発明の実施例２は、第二受部材２４０ｂを回動自在に構成して、内部に貯留している遊技球を取り出すことを可能にした実施例である。
【００５９】
図５は、回動式の第二受部材２４０ｂを備えた受皿部分の斜視図を示している。なお、図２に示した構成と同一の構成については、同一の符号を付して具体的な説明を省略する。また、図５に示すように第二受皿２４０は、遊技球を貯留する上下二段の受部材を有している。上部の第一受部材１４０ａは、図２にて説明した部材と同一の機能を備えているので説明を省略する。
【００６０】
下部の第二受部材２４０ｂは、第一受部材１４０ａから貫通孔１４４を介して落下してきた遊技球を貯留する受皿であり、遊技者は第二受部材２４０ｂをピン１９０を軸にして水平方向に回動させるように引き出して、第二受部材２４０ｂ内部の第二受部材貯留部２４０ｂ´に貯留されている遊技球を取り出すことを可能にしている。
【００６１】
また、図５に示すように、第二受部材２４０ｂをピン１９０を中心に手前に回動させて、第二受部材貯留部２４０ｂ´を外部に露呈させている状態では、第一受部材１４０ａの貫通孔１４４を通して落下する遊技球は、第一受部材１４０ａの下方に置かれたドル箱１５０へと導かれる。したがって、大当たり時には第二受部材１４０ｂを回動させた状態にしておくことにより、第一受部材１４０ａの貫通孔１４４を通して第一受部材１４０ａの下方に置かれたドル箱１５０へ遊技球を直接導くことができ、第二受皿１４０の遊技球貯留容量を気にせずに大当たり遊技を継続して消化することができる。
【００６２】
次に、図６に示した回動式の第二受部材２４０ｂにおける回動機構の詳細について説明する。
図６は、第二受部材２４０ｂの外形厚さＴ１と、ピン１９０のスタッド部１９０ｂの基準長さとを等しい長さに設定している実施形態を示す図である。
同図に示すようにピン１９０は、第一受部材１４０ａの底部に設けられている雌螺子孔と螺合する雄螺子１９０ａと、第二受部材２４０ｂの軸受部２４１と接触して第二受部材２４０ｂを回動自在に支持するスタッド部１９０ｂと、ナット１９１と螺合して第二受部材２４０ｂの脱落を防止する雄螺子１９０ｃの部分とを備えている。
【００６３】
第二受部材２４０ｂの軸受部２４１にピン１９０を挿入して、雄螺子１９０ｃにナット１９１を螺合し、雄螺子１９０ａを第一受部材１４０ａの雌螺子孔に螺合させて第二受部材２４０ｂを挟み込むことによって、第二受部材２４０ｂを、ピン１９０を軸に回動自在に連結することができる。図６に示すように構成することにより、第二受部材２４０ｂがピン１９０を中心に水平方向に回動可能となる。なお、図示は省略したが前記ナット１９１はピン１９０のが妄りに回動しないようにダブルナットにて構成するとよい。
【００６４】
図７は、第二受部材３４０ｂの外形厚さＴ１よりも、ピン２９０のスタッド部２９０ｂの長さＴ２を短く設定した実施形態を示している。
ピン２９０は、同図に示すように、第一受部材１４０ａの底部の雌螺子孔と螺合する雄螺子２９０ａと、第二受部材３４０ｂの軸受部３４１と接触して第二受部材３４０ｂを回動自在に支持するスタッド部２９０ｂと、ナット１９１と螺合して第二受部材３４０ｂの脱落を防止する雄螺子２９０ｃとを備えている。
【００６５】
第二受部材３４０ｂの軸受部３４１にピン２９０を挿入して雄螺子２９０ｃにナット１９１を螺合し、雄螺子２９０ａを第一受部材１４０ａの雌螺子孔に螺合させて第二受部材３４０ｂを挟み込むことによって、第二受部材３４０ｂがピン２９０を軸に回動自在に連結することができる。このように構成することによって、第二受部材３４０ｂがピン２９０を中心に水平方向に回動可能となる。
【００６６】
図６に示した実施形態では、第二受部材２４０ｂの厚さＴ１とピン１９０のスタッド部１９０ｂの基準長さとを等しく設定した実施形態を示したが、図７に示したように、第二受部材３４０ｂの厚さＴ１とピン２９０のスタッド部２９０ｂの基準長さＴ２とを異なる長さに設定してもよい。なお、より好ましい形態は遊技球が第二受部材２４０ｂに大量に貯留されても重みで第二受部材２４０ｂが撓る心配の少ない図６の実施形態である。
【００６７】
次に本発明の実施例３について図８を用いて説明する。本発明の実施例３は、第二受部材４４０ｂが第一受部材１４０ａと所定の隙間をもって遊技機本体１００の内方と外方との間を進退可能に構成した実施例である。
【００６８】
図８は、第二受部材４４０ｂと第一受部材１４０ａとの間に所定の隙間をもたせて、第二受部材４４０ｂを開閉部材１１５に支持させた例を示している。また、第二受部材４４０ｂは開閉部材１１５側とから手前側へと進退可能に構成している。図８では、第二受部材４４０ｂを遊技機本体１００から外方に引き出した状態を二点鎖線で示している。
【００６９】
また、図９は、図８に示した第二受部材４４０ｂを、遊技機本体１００に対して垂直な面で切断したIX−IX断面の正面図である。なお、図２に示した構成と同一の構成については、同一の符号を付して説明を省略する。
【００７０】
図８及び図９に示すように第二受皿４４０は、遊技球を貯留する上下二段の受部材を有している。上部の第一受部材１４０ａは、図２にて説明した部材と同一の機能を備えているので説明を省略する。
第一受部材１４０ａの下方の第二受部材４４０ｂを収容する領域の側面には、第二受部材４４０ｂに設けられている嵌合部４６１と嵌合して、第二受部材４４０ｂを開閉部材１１５の奥行き側と手前側とに進退自在に摺動案内するためのレール２６０を備えている。このレール２６０の奥行き側の端部は開閉部材１１５に片持ち式に固定支持されている。
【００７１】
図９に示すように、第一受部材１４０ａの下部に配した第二受部材４４０ｂの側面には、レール２６０と嵌合して第二受部材４４０ｂを遊技機本体１００の奥行き側と手前側とに進退自在に摺動させるための嵌合部４６１を備えている。
【００７２】
遊技者は、図２及び図３に示した実施形態と同様に、第二受部材４４０ｂを手前側にスライドさせて、第二受部材４４０ｂを遊技機本体１００から離脱させることができる。
【００７３】
また、図９に示すように第二受部材４４０ｂは、第一受部材１４０ａの下方に所定の隙間Ｗをもって配している。このように所定の隙間Ｗを設けることによって、第二受部材４４０ｂと第一受部材１４０ａとの間に指を入れて、容易に第二受部材４４０ｂを引き出すことができる。したがって、特段の把持部を設けることなく、遊技者は第二受部材４４０ｂの前壁に指を引っ掛けることが可能となり、第二受部材４４０ｂを遊技機本体１００から容易に引き出して離脱させることができる。
【００７４】
ここまで上記三つの例を具体的な実施例として挙げて説明したが、これらは単なる代表的な具体例に過ぎず、これらの実施例に限定されるものではなく、本発明は本発明の技術的範囲に基づくすべての弾球遊技機に適用される。
【図面の簡単な説明】
【００７５】
【図１】本発明に係る遊技機の第１実施例を示す斜視図である。
【図２】図１に示した遊技機の受皿部分の拡大斜視図である。
【図３】図２に示す第二受皿部分を垂直な面で切断したIII−III 線に沿った矢視断面図である。
【図４】図２に示す第二受部材１４０ｂの左右方向の中心を通り、遊技機本体１００に垂直な面で切断したIV−IV線に沿った矢視断面図である。
【図５】回動式の第二受部材を備えた受皿部分の斜視図である。
【図６】第二受部材の外形厚さと、ピンのスタッド部の基準長さとを等しい長さに設定している実施形態を示す図である。
【図７】第二受部材の外形厚さよりも、ピンのスタッド部の長さを短く設定した実施形態を示す図である。
【図８】第二受部材を開閉部材に支持させたときの実施例を示す斜視図である。
【図９】図８に示した第二受部材の部分を垂直な面で切断したIX−IX線に沿った矢視断面図である。
【図１０】従来の弾球遊技機の全体斜視図である。
【図１１】弾球遊技機における遊技盤の正面図である。
【符号の説明】
【００７６】
Ｐ        パチンコ機
Ａ        遊技領域
Ｗ        隙間
１００    遊技機本体
１１０    遊技盤
１１１    発射レール
１１２    入賞口
１１２ａ  一般入賞口
１１２ｂ  始動入賞口
１１２ｃ  大入賞口
１１３    アウト口
１１４    特別図柄
１１５    開閉部材
１１６    係脱部材
１２０    発射装置
１２１    発射ハンドル
１３０    第一受皿
１３１    第一払出口
１３２    上皿貯留部
１４０    第二受皿
１４０ａ  第一受部材
１４０ｂ、２４０ｂ、３４０ｂ、４４０ｂ  第二受部材
１４０ｂ´、２４０ｂ´  第二受部材貯留部
１４１    第二払出口
１４２    第二受皿貯留部
１４３    球抜き機構
１４４    貫通孔
１５０    ドル箱
１６０、２６０    レール
１６１、４６１    嵌合部
１７０    係脱機構
１７１    遊技機係脱部
１８０    弾性素材
１９０    ピン
【図１】
2008110051.tif 000003
【図２】
2008110051.tif 000004
【図３】
2008110051.tif 000005
【図４】
2008110051.tif 000006
【図５】
2008110051.tif 000007
【図６】
2008110051.tif 000008
【図７】
2008110051.tif 000009
【図８】
2008110051.tif 000010
【図９】
2008110051.tif 000011
【図１０】
2008110051.tif 000012
【図１１】
2008110051.tif 000013